(57)【要約】【課題】簡単な構成で、筐体強度の確保、部品点数および組立工数の削減が可能なブロアユニットを提供する。【解決手段】本発明のブロアユニット１００は、電動機１０７と、電動機１０７と回転軸を介して連結されたファン１０３と、電動機１０７を固定するブロア下ケース１０１と、ブロア下ケース１０１と結合され、電動機１０７とファン１０３を収納するブロア上ケース１０２と、ブロア下ケース１０１に設けられ、それぞれがねじ止め用の貫通孔１０６ａ、１０６ｂ、１０６ｃを有する複数の固定取付足１０５ａ、１０５ｂ、１０５ｃと、を備え、ブロア下ケース１０１の前記複数の固定取付足１０５ａ、１０５ｂ、１０５ｃにて、取付面に固定される。【選択図】図１
2013104365.tif 000002
【特許請求の範囲】
【請求項１】
電動機と、
前記電動機と回転軸を介して連結されたファンと、
前記電動機を固定するブロア下ケースと、
前記ブロア下ケースと結合され、前記電動機と前記ファンを収納するブロア上ケースと、
前記ブロア下ケースに設けられ、それぞれがねじ止め用の貫通孔を有する複数の固定取付足とを備え、
前記ブロア下ケースの前記複数の固定取付足にて、取付面に固定されることを特徴とするブロアユニット。
【請求項２】
前記ブロア下ケースは、外周側面に周方向に沿って配置された複数の突起部を有し、
前記ブロア上ケースは、外周側面に周方向に沿って配置された複数のフックを有し、
前記ブロア下ケースと前記ブロア上ケースは前記フックが前記突起部に係合することにより結合されていることを特徴とする請求項１に記載のブロアユニット。
【請求項３】
前記ブロア上ケースは吸気口を有し、
前記ブロア下ケースおよび前記ブロア上ケースのそれぞれの一部が前記回転軸と直交する方向へ延出して開口しており、お互いが結合されて噴出口を形成し、
前記複数の固定取付足は前記回転軸と平行な方向へ延出していることを特徴とする請求項２に記載のブロアユニット。
【請求項４】
前記複数の固定取付足は、前記回転軸を含む平面と前記取付面とが直交する交線に対して略対象な位置に配置され、前記ブロア下ケース側へ延出した２つの固定取付足と、前記交線をその幅方向に含み、前記２つの固定取付足と反対側へ延出した１つの固定取付足から構成されることを特徴とする請求項３に記載のブロアユニット。
【請求項５】
前記ブロア上ケースは吸気口を有し、
前記ブロア下ケースおよび前記ブロア上ケースのそれぞれの一部が前記回転軸と直交する方向へ延出して開口しており、お互いが結合されて噴出口を形成し、
前記複数の固定取付足は前記回転軸と直交し、かつ前記回転軸から遠ざかる方向へ延出して前記外周側面に設けられていることを特徴とする請求項２に記載のブロアユニット。
【請求項６】
前記複数の固定取付足は、前記回転軸を中心として略対象な位置に配置されていることを特徴とする請求項５に記載のブロアユニット。
【発明の詳細な説明】
【技術分野】
【０００１】
本発明は、電動送風機を備えたブロアユニットに関し、特にその取付構造に特徴があるブロアユニットに関する。
【背景技術】
【０００２】
電動送風機を備えたブロアユニットにおいて、ブロア上ケースとブロア下ケースはねじ等により結合された筐体の中に収納されている。このブロアユニットを取付台等に取り付ける際、従来は、ブロア上ケースおよびブロア下ケースのそれぞれにブ固定取付足を備えており、それぞれの固定取付足を取付台にねじ等により固定していた（例えば、特許文献１を参照）。
【先行技術文献】
【特許文献】
【０００３】
【特許文献１】特開２００５−２０６００３号公報
【発明の概要】
【発明が解決しようとする課題】
【０００４】
しかしながら、従来のブロアユニットでは、ブロア上ケースおよびブロア下ケースがそれぞれ別々に取付台にねじ止め固定されているため、電動送風機が回転して振動した際に、ブロア下ケースとブロア上ケースにそれぞれ別々に振動が伝わり筐体強度の信頼性が低下するという課題があった。また、ブロア上ケースおよびブロア下ケースがそれぞれ別々に取付台にねじ止めされるため、ねじ部品等の部品点数の増加や、ねじ絞め工数の増加という課題もあった。
【０００５】
本発明は以上の課題を解決するものであり、簡単な構成で、筐体強度の確保、部品点数および組立工数の削減が可能なブロアユニットを提供することを目的とする。
【課題を解決するための手段】
【０００６】
上記の目的を達成するために、本発明のブロアユニットは、電動機と、電動機と回転軸を介して連結されたファンと、電動機を固定するブロア下ケースと、ブロア下ケースと結合され、電動機とファンを収納するブロア上ケースと、ブロア下ケースに設けられ、それぞれがねじ止め用の貫通孔を有する複数の固定取付足とを備え、ブロア下ケースの複数の固定取付足にて、取付面に固定されることを特徴とする。
【０００７】
このような構成により、ブロアユニットはブロア下ケースに設けられた固定取付足のみにより取付台にねじ止め固定されるので、筐体強度の確保、部品点数および組立工数の削減が可能となる。
【０００８】
また本発明のブロアユニットは、ブロア下ケースは、外周側面に周方向に沿って配置された複数の突起部を有し、ブロア上ケースは、外周側面に周方向に沿って配置された複数のフックを有し、ブロア下ケースとブロア上ケースはフックが突起部に係合することにより結合されていてもよい。
【０００９】
このような構成により、ブロア下ケースとブロア上ケースをフックのみで結合するので、ねじなどの余分な部品が不要となるとともに、組み立てが簡単となる。また、ねじの緩みなども無いために筐体の信頼性が向上する。
【００１０】
また本発明のブロアユニットは、ブロア上ケースは吸気口を有し、ブロア下ケースおよびブロア上ケースのそれぞれの一部が回転軸と直交する方向へ延出して開口しており、お互いが結合されて噴出口を形成し、複数の固定取付足は回転軸と平行な方向へ延出させてもよい。
【００１１】
このような構成により、固定取付足が噴出口と直交する方向に延出して設けられるので、電動機の回転による振動の影響を受けにくく、ブロアユニットをより強固に取付台に固定することができる。
【００１２】
また本発明のブロアユニットは、複数の固定取付足は、回転軸を含む平面と取付面とが直交する交線に対して略対象な位置に配置され、ブロア下ケース側へ延出した２つの固定取付足と、交線をその幅方向に含み、２つの固定取付足と反対側へ延出した１つの固定取付足から構成されてもよい。
【００１３】
このような構成により、ブロアユニットを取付台により強固に固定することが可能となる。
【００１４】
また本発明のブロアユニットは、ブロア上ケースは吸気口を有し、ブロア下ケースおよびブロア上ケースのそれぞれの一部が回転軸と直交する方向へ延出して開口しており、お互いが結合されて噴出口を形成し、複数の固定取付足は回転軸と直交し、かつ回転軸から遠ざかる方向へ延出して外周側面に設けられていてもよい。
【００１５】
このような構成により、固定取付足が回転軸と直交し、かつ回転軸から遠ざかる方向へ延出して外周側面に設けられているので、電動機の回転による振動の影響を受けにくく、ブロアユニットをより強固に取付台に固定することができる。
【００１６】
また本発明のブロアユニットは、複数の固定取付足は、回転軸を中心として略対象な位置に配置されていてもよい。
【００１７】
このような構成により、ブロアユニットを取付台により強固に固定することが可能となる。
【発明の効果】
【００１８】
本発明によれば、簡単な構成で、筐体強度の確保、部品点数および組立工数の削減が可能なブロアユニットを提供することができる。
【図面の簡単な説明】
【００１９】
【図１】本発明の実施の形態１におけるブロアユニットの斜視図であり、（ａ）は前方から見た斜視図、（ｂ）は後方から見た斜視図
【図２】本発明の実施の形態１におけるブロアユニットの内部平面図
【図３】本発明の実施の形態１におけるブロアユニットのブロア上ケースを外した状態の斜視図
【図４】本発明の実施の形態１におけるブロアユニットの平面図
【図５】本発明の実施の形態１におけるブロアユニットの底面図
【図６】本発明の実施の形態２におけるブロアユニットの斜視図
【図７】本発明の実施の形態２におけるブロアユニットのブロア上ケースを外した状態の斜視図
【発明を実施するための形態】
【００２０】
以下、本発明の実施の形態について図面を用いて説明する。
【００２１】
（実施の形態１）
図１は本発明の実施の形態１におけるブロアユニット１００の斜視図であり、（ａ）は前方から見た斜視図、（ｂ）は後方から見た斜視図である。また、図２はブロアユニット１００の内部平面図である。
【００２２】
本実施の形態におけるブロアユニット１００の構成を図１および図２を参照して説明する。図１に示すように、ブロアユニット１００は、ブロア下ケース１０１とブロア上ケース１０２が係合部１０８ａ、１０８ｂにより結合されて筐体が構成されている。筐体内にはブロア下ケース１０１に固定された電動機１０７および電動機１０７と回転軸１２０を介して連結された送風用のファン１０３が収納されている。ブロア下ケース１０１の下方の取付面側には固定取付足１０５ａ、１０５ｂ、１０５ｃが設けられている。固定取付足１０５ａ、１０５ｂ、１０５ｃのそれぞれの先端部近傍には、ねじ止め用の貫通孔１０６ａ、１０６ｂ、１０６ｃが空いている。ブロアユニット１００は３つの貫通孔１０６ａ、１０６ｂ、１０６ｃに固定ねじを貫通させることにより、取付台（図示せず）に取り付けられる。
【００２３】
ブロアユニット１００は、前方（ブロア上ケース１０２側）の回転軸１２０の方向に開口した吸気口１０９を備えている。また、ブロアユニット１００は、回転軸１２０と直交する方向に開口した噴出口１０４を備えている。電動機１０７が回転すると回転軸１２０を介してファン１０３が回転し、筐体の吸気口１０９から矢印１１２の方向に外気を吸い込み、吸い込まれた外気は噴出口１０４から矢印１１３の方向に噴出され、電池などの冷却対象物を冷却する。
【００２４】
図３は、ブロアユニット１００のブロア上ケース１０２を外した状態の斜視図である。図３に示すように、ブロア下ケース１０１は取付面側において、矢印１１３の方向、すなわち回転軸１２０と直交する方向へ一部が延出して開口している。同様に、ブロア上ケース１０２は取付面側において、矢印１１３の方向、すなわち回転軸１２０と直交する方向へ一部が延出して開口している。ブロア下ケース１０１の外周側面１０１ａには周方向に沿って複数の突起部１１０ａ、１１０ｂが設けられている。ブロア上ケース１０２の外周側面１０２ａには周方向に沿って複数のフック１１１ａ、１１１ｂが設けられている。複数のフック１１１ａ、１１１ｂがそれぞれ複数の突起部１１０ａ、１１０ｂに係合することでブロア下ケース１０１とブロア上ケース１０２が結合されて、噴出口１０４を有する筐体が構成される。なお、図１、図３には係合部、突起部、フックをそれぞれ２つしか示していないが、図面に表示されていない外周側面にも他の複数の係合部、突起部、フックが設けられている。このように、ブロア下ケース１０１とブロア上ケース１０２をフックのみで結合するので、ねじなどの余分な部品が不要となるとともに、組み立てが簡単となる。また、ねじの緩みなども無いために筐体の信頼性が向上する。
【００２５】
次に、図４および図５を用いてブロアユニット１００の固定取付足の構成について詳細に説明する。
【００２６】
図４は本実施の形態におけるブロアユニット１００の上面図、図５はブロアユニット１００の底面図である。
【００２７】
図４、図５に示すように、２つの固定取付足１０５ａ、１０５ｂは電動機１０７の回転軸１２０と平行な方向で、前方（ブロア上ケース１０２側）へ延出して設けられている。一方、固定取付足１０５ｃは電動機１０７の回転軸１２０と平行な方向で、２つの固定取付足１０５ａ、１０５ｂとは反対側（ブロア下ケースの背面側）へ延出して設けられている。また、２つの固定取付足１０５ａ、１０５ｂは取付面と直交する回転軸面との交線１２１に対して略対象な位置に配置されていることが好ましい。一方、固定取付足１０５ｃは交線１２１をその幅方向に含むように配置されていることが好ましい。固定取付足１０５ｃの中心線が交線１２１と略一致するように配置されていればさらに好ましい。３つの固定取付足１０５ａ、１０５ｂ、１０５ｃをこのような位置に配置することにより、ブロアユニット１００を取付台に、より安定に取り付けることができる。
【００２８】
ここで、取付面とは、ブロアユニット１００が取付台に固定される面であり、３つの固定取付足１０５ａ、１０５ｂ、１０５ｃの底面が含まれる面である。また、上記回転軸面とは回転軸１２０を含む平面である。また、上記幅方向とは取付面で回転軸１２０に直交する方向である。
【００２９】
このように、ブロアユニット１００はブロア下ケース１０１の取付面に設けられた固定取付足１０５ａ、１０５ｂ、１０５ｃにより取付台に固定されるので、電動機１０７の回転によりブロアユニット１００が振動した場合でも、ブロア下ケース１０１とブロア上ケース１０２とは連動して振動する。また、固定取付足１０５ａ、１０５ｂ、１０５ｃが噴出口１０４と直交する方向（回転軸１２０と平行な方向）に延出して設けられるので、ブロアユニット１００をより強固に取付台に固定することができる。
【００３０】
したがって、ブロア下ケース１０１とブロア上ケース１０２との係合部１０８ａ、１０８ｂには過剰な加重がかかることはない。その結果、筐体強度の信頼性を確保することができる。また、ブロア下ケース１０１とブロア上ケース１０２とがそれぞれ固定取付足を備え、別々に取付台にねじ止め固定される従来のブロアユニットに対して、ねじ部品が不要であり取付け固定時の部品点数を削減することができる。さらに、ねじ絞め工程が不要となるので、ブロアユニット１００の取付けが容易となる。
【００３１】
なお、上記実施の形態１では、ブロア下ケース１０１の２つの固定取付足１０５ａ、１０５ｂをブロア上ケース１０２側に延出させ、１つの固定取付足１０５ｃをその反対側に延出させる例を説明したが、ブロア上ケース１０２と反対側に２つの固定取付足を延出させ、ブロア上ケース側に１つの固定取付足を延出させてもよい。また、ブロア下ケース１０１に設ける固定取付足は３つに限定されるものではなく、ブロアユニットと取付台との取付け条件に応じて適宜選択すればよい。
【００３２】
（実施の形態２）
図６は本発明の実施の形態におけるブロアユニット２００の斜視図であり、図７はブロアユニット２００のブロア上ケース２０２を外した状態の斜視図である。
【００３３】
本実施の形態におけるブロアユニット２００の構成を図６および図７を参照して説明する。図６に示すように、ブロアユニット２００は、ブロア下ケース２０１とブロア上ケース２０２が係合部２０８ａ、２０８ｂ、２０８ｃにより結合されて筐体が構成されている。筐体内にはブロア下ケース２０１に固定された電動機（図示せず）および電動機と回転軸（図示せず）を介して連結された送風用のファン２０３が収納されている。ブロア下ケース２０１の下方の取付面側には固定取付足２０５ａ、２０５ｂが設けられている。固定取付足２０５ａ、２０５ｂのそれぞれの先端部近傍には、ねじ止め用の貫通孔２０６ａ、２０６ｂが空いている。ブロアユニット２００は２つの貫通孔２０６ａ、２０６ｂに固定ねじを貫通させることにより、取付台（図示せず）に取り付けられる。
【００３４】
ブロアユニット２００は、上方（ブロア上ケース２０２側）の回転軸の方向に開口した吸気口２０９を備えている。また、ブロアユニット２００は、回転軸と直交する方向に開口した噴出口２０４を備えている。電動機が回転すると回転軸を介してファン２０３が回転し、筐体の吸気口２０９から矢印２１２の方向に外気を吸い込み、吸い込まれた外気は噴出口２０４から矢印２１３の方向に噴出され、電池などの冷却対象物を冷却する。
【００３５】
図７に示すように、ブロア下ケース２０１は矢印２１３の方向、すなわち回転軸と直交する方向へ一部が延出して開口している。同様に、ブロア上ケース２０２は矢印２１３の方向、すなわち回転軸と直交する方向へ一部が延出して開口している。ブロア下ケース２０１の外周側面２０１ａには周方向に沿って複数の突起部２１０ａ、２１０ｂ、２１０ｃが設けられている。ブロア上ケース２０２の外周側面２０２ａには周方向に沿って複数のフック２１１ａ、２１１ｂ、２１１ｃが設けられている。複数のフック２１１ａ、２１１ｂ、２１１ｃがそれぞれ複数の突起部２１０ａ、２１０ｂ、２１０ｃに係合することでブロア下ケース２０１とブロア上ケース２０２とが結合されて、噴出口２０４を有する筐体が構成される。なお、図６、図７には係合部、突起部、フックをそれぞれ３つしか示していないが、図面に表示されていない外周側面にも他の複数の係合部、突起部、フックが設けられている。このように、ブロア下ケース２０１とブロア上ケース２０２をフックのみで結合するので、ねじなどの余分な部品が不要となるとともに、組み立てが簡単となる。また、ねじの緩みなども無いために筐体の信頼性が向上する。
【００３６】
図６、図７に示すように、複数の固定取付足２０５ａ、２０５ｂ、２０５ｃは電動機の回転軸と直交する方向で、外側（回転軸から遠ざかる方向）へ延出して外周側面２０１ａに設けられている。また、複数の固定取付足２０５ａ、２０５ｂ、２０５ｃは回転軸を中心にして略対象な位置に配置されていることが好ましい。複数の固定取付足２０５ａ、２０５ｂ、２０５ｃをこのような位置に配置することにより、ブロアユニット２００を取付台に、より安定に取り付けることができる。
【００３７】
ここで、取付面とは、ブロアユニット２００が取付台に固定される面であり、複数の固定取付足２０５ａ、２０５ｂ、２０５ｃの底面が含まれる面である。
【００３８】
このように、ブロアユニット２００はブロア下ケース２０１の取付面に設けられた固定取付足２０５ａ、２０５ｂ、２０５ｃにより取付台に固定されるので、電動機の回転によりブロアユニット２００が振動した場合でも、ブロア下ケース２０１とブロア上ケース２０２とは連動して振動する。また、固定取付足２０５ａ、２０５ｂ、２０５ｃが電動機の回転軸と直交する方向で、外側（回転軸から遠ざかる方向）へ延出して外周側面２０１ａに設けられているので、ブロアユニット２００をより強固に取付台に固定することができる。
【００３９】
したがって、ブロア下ケース２０１とブロア上ケース２０２との係合部２０８ａ、２０８ｂ、２０８ｃには過剰な加重がかかることはない。その結果、筐体強度の信頼性を確保することができる。また、ブロア下ケース２０１とブロア上ケース２０２とがそれぞれ固定取付足を備え、別々に取付台にねじ止め固定される従来のブロアユニットに対して、ねじ部品が不要であり取付け固定時の部品点数を削減することができる。さらに、ねじ絞め工程が不要となるので、ブロアユニット２００の取付けが容易となる。
【産業上の利用可能性】
【００４０】
本発明は、取付台に取り付けられて使用される電動送風機を備えたブロアユニットに広く使用することができる。
【符号の説明】
【００４１】
１００，２００    ブロアユニット
１０１，２０１    ブロア下ケース
１０１ａ、１０２ａ，２０１ａ，２０２ａ    外周側面
１０２，２０２    ブロア上ケース
１０３，２０３    ファン
１０４，２０４    噴出口
１０５ａ，１０５ｂ，１０５ｃ，２０５ａ，２０５ｂ，２０５ｃ    固定取付足
１０６ａ，１０６ｂ，１０６ｃ、２０６ａ，２０６ｂ    貫通孔
１０７    電動機
１０８ａ，１０８ｂ，２０８ａ，２０８ｂ，２０８ｃ    係合部
１０９，２０９    吸気口
１１０ａ，１１０ｂ，２１０ａ，２１０ｂ，２１０ｃ    突起部
１１１ａ，１１１ｂ，２１１ａ，２１１ｂ，２１１ｃ    フック
【図１】
2013104365.tif 000003
【図２】
2013104365.tif 000004
【図３】
2013104365.tif 000005
【図４】
2013104365.tif 000006
【図５】
2013104365.tif 000007
【図６】
2013104365.tif 000008
【図７】
2013104365.tif 000009